【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
カラー画像データを取得する取得手段と、
前記取得手段によって取得される前記カラー画像データから除去する色を指定する色指定手段と、
前記取得手段によって取得された前記カラー画像データから、前記色指定手段によって指定された色と明度の閾値および彩度の閾値に基づいて除去するよう判定された色を除去する除去手段と、を有し、
前記色指定手段が有彩色を指定した場合に、前記除去手段は、前記色指定手段によって指定された有彩色における前記明度の閾値より小さい明度の色であって、且つ、前記彩度の閾値より小さい彩度の色を除去せずに、前記色指定手段によって指定された有彩色における前記明度の閾値以上の明度の色であって、且つ、前記彩度の閾値以上の彩度の色を除去することを特徴とする画像形成装置。
【請求項２】
前記色指定手段が黒色を指定した場合に、前記除去手段は、前記彩度の閾値以上の彩度の色であって、且つ、前記明度の閾値以上の色を除去せずに、前記彩度の閾値より小さい彩度の色、及び前記明度の閾値より小さい明度の色を除去することを特徴とする請求項１に記載の画像形成装置。
【請求項３】
前記取得手段によって取得されるカラー画像データの画像についての欠損を判断する欠損判定手段、をさらに有し、
前記除去手段は、
前記欠損がある場合には、前記色指定手段によって指定された色と前記明度の閾値および前記彩度の閾値に基づく判定に基づいて除去するよう判定された色を除去し、
前記欠損がない場合には、前記色指定手段によって指定された色と前記彩度の閾値に基づく判定に基づいて除去するよう判定された色を除去することを特徴とする請求項１から３のいずれか１項に記載の画像形成装置。
【請求項４】
前記取得手段は、シートに印刷された画像をスキャンした画像についてのカラー画像データを取得し、
前記欠損判定手段は、前記取得手段によって取得されたカラー画像データの画像についてのスジ位置を判定することを特徴とする請求項３に記載の画像形成装置。
【請求項５】
前記除去手段は、３次元ルックアップテーブルを用いて前記カラー画像データの各画素の色成分値を変換する色変換処理において前記色を除去するものであり、
欠損を有する前記カラー画像データについては、各画素の色成分値を変換するとともに前記色指定手段によって指定された色を除去する除去用の３次元ルックアップテーブルを用いて色成分を変換し、
欠損を有さない前記カラー画像データについては、各画素の色成分値を変換する３次元ルックアップテーブルを用いて色成分を変換することを特徴とする請求項４に記載の画像形成装置。
【請求項６】
カラー画像データを取得する取得手段と、
前記取得手段によって取得される前記カラー画像データから除去する色を指定する色指定手段と、
前記取得手段によって取得された前記カラー画像データから、前記色指定手段によって指定された色と明度の閾値および彩度の閾値に基づいて除去するよう判定された色を除去する除去手段と、を有し、
前記色指定手段が黒色を指定した場合に、前記除去手段は、前記色指定手段によって指定された有彩色における前記明度の閾値以上の明度の色であって、且つ、前記彩度の閾値以上の彩度の色を除去せずに、前記明度の閾値より小さい明度の色、または前記彩度閾値より小さい彩度の色を除去することを特徴とする画像形成装置。
【請求項７】
前記除去手段は、前記明度の閾値および前記彩度の閾値に加えて、前記彩度の閾値より高い別の彩度の閾値に基づいて除去するよう判定される色を除去する請求項１乃至６のいずれか１項に記載の画像形成装置。
【請求項８】
原稿を読み取る読取手段をさらに有し、
前記取得手段は、前記読取手段によって前記原稿を読み取ることによって前記カラー画像データを取得することを特徴とする請求項１乃至７のいずれか１項に記載の画像形成装置。
【請求項９】
印刷手段をさらに有し、
前記印刷手段は、前記除去手段によって前記色が除去された画像データに基づく印刷を実行することを特徴とする請求項１乃至８のいずれか１項に記載の画像形成装置。
【請求項１０】
カラー画像データを取得する取得手段を有する画像形成装置の制御方法であって、
前記取得手段によって取得される前記カラー画像データから除去する色を指定する色指定工程と、
前記取得手段によって取得された前記カラー画像データから、前記色指定工程によって指定された色と明度の閾値および彩度の閾値に基づいて除去するよう判定された色を除去する除去工程と、を有し、
前記色指定工程が有彩色を指定した場合に、前記除去工程は、前記色指定工程によって指定された有彩色における前記明度の閾値より小さい明度の色であって、且つ、前記彩度の閾値より小さい彩度の色を除去せずに、前記色指定工程によって指定された有彩色における前記明度の閾値以上の明度の色であって、且つ、前記彩度の閾値以上の彩度の色を除去することを特徴とする画像形成装置の制御方法。
【請求項１１】
カラー画像データを取得する取得手段を有する画像形成装置の制御方法であって、
前記取得手段によって取得される前記カラー画像データから除去する色を指定する色指定工程と、
前記取得手段によって取得された前記カラー画像データから、前記色指定工程によって指定された色と明度の閾値および彩度の閾値に基づいて除去するよう判定された色を除去する除去工程と、を有し、
前記色指定工程が黒色を指定した場合に、前記除去工程は、前記色指定工程によって指定された有彩色における前記明度の閾値以上の明度の色であって、且つ、前記彩度の閾値以上の彩度の色を除去せずに、前記明度の閾値より小さい明度の色、または前記彩度閾値より小さい彩度の色を除去することを特徴とする画像形成装置の制御方法。
【請求項１２】
カラー画像データを取得する取得手段を有する画像形成装置の制御方法をコンピュータに実行させるプログラムであって、
前記画像形成装置の制御方法は、
前記取得手段によって取得される前記カラー画像データから除去する色を指定する色指定工程と、
前記取得手段によって取得された前記カラー画像データから、前記色指定工程によって指定された色と明度の閾値および彩度の閾値に基づいて除去するよう判定された色を除去する除去工程と、を有し、
前記色指定工程が有彩色を指定した場合に、前記除去工程は、前記色指定工程によって指定された有彩色における前記明度の閾値より小さい明度の色であって、且つ、前記彩度の閾値より小さい彩度の色を除去せずに、前記色指定工程によって指定された有彩色における前記明度の閾値以上の明度の色であって、且つ、前記彩度の閾値以上の彩度の色を除去することを特徴とするプログラム。
【請求項１３】
カラー画像データを取得する取得手段を有する画像形成装置の制御方法をコンピュータに実行させるプログラムであって、
前記画像形成装置の制御方法は、
前記取得手段によって取得される前記カラー画像データから除去する色を指定する色指定工程と、
前記取得手段によって取得された前記カラー画像データから、前記色指定工程によって指定された色と明度の閾値および彩度の閾値に基づいて除去するよう判定された色を除去する除去工程と、を有し、
前記色指定工程が黒色を指定した場合に、前記除去工程は、前記色指定工程によって指定された有彩色における前記明度の閾値以上の明度の色であって、且つ、前記彩度の閾値以上の彩度の色を除去せずに、前記明度の閾値より小さい明度の色、または前記彩度閾値より小さい彩度の色を除去することを特徴とするプログラム。
【手続補正２】
【補正対象書類名】明細書
【補正対象項目名】０００６
【補正方法】変更
【補正の内容】
【０００６】
このように画像形成装置では、指定された色を除去する処理の結果を改善することが求められている。
【手続補正３】
【補正対象書類名】明細書
【補正対象項目名】０００７
【補正方法】変更
【補正の内容】
【０００７】
本発明の一形態に係る画像形成装置は、カラー画像データを取得する取得手段と、前記取得手段によって取得される前記カラー画像データから除去する色を指定する色指定手段と、前記取得手段によって取得された前記カラー画像データから、前記色指定手段によって指定された色と明度の閾値および彩度の閾値に基づいて除去するよう判定された色を除去する除去手段と、を有し、前記色指定手段が有彩色を指定した場合に、前記除去手段は、前記色指定手段によって指定された有彩色における前記明度の閾値より小さい明度の色であって、且つ、前記彩度の閾値より小さい彩度の色を除去せずに、前記色指定手段によって指定された有彩色における前記明度の閾値以上の明度の色であって、且つ、前記彩度の閾値以上の彩度の色を除去する。
【手続補正４】
【補正対象書類名】明細書
【補正対象項目名】０００８
【補正方法】変更
【補正の内容】
【０００８】
本発明では、指定された色を除去する処理の結果を改善することができる。